(57)【要約】【課題】  堅牢な風漏れ性能や騒音性能はそのままに、空気流の澱み発生を低減して良好な通気性能を発揮することができる浴室乾燥機を提供すること。【解決手段】  この浴室乾燥機ＤＭは、換気口１２に繋がる換気風路１０１及び循環吹出口１４に繋がる循環風路１０２を開閉自在に覆うように回転軸周りに円弧形状を成す外周面１６１と、外周面１６１よりも回転軸側に位置する内周面１６３とを有する回転式のダンパ１６を備え、ダンパ１６は、内周面１６３の少なくとも一部における湾曲度が、外周面１６１の湾曲度よりも緩やかになるように形成され、外周面１６１の回転方向における両側端部に対応してラビリンス構造が形成されている。【選択図】図７
2010054077.tif 000002
【特許請求の範囲】
【請求項１】
浴室の空気を吸引しヒータを経由させて浴室方向に空気を噴出する循環モードと、浴室の空気を吸引し浴室外に排出する換気モードと、を備える浴室乾燥機において、
浴室の天井に固定される本体と、
前記本体内の一側に格納される送風機と、
前記送風機の吹出口と対面するように前記本体内の他側に設けられた換気口と、
前記本体内の他側で前記換気口より浴室側となる下部に設けられた循環吹出口と、
前記送風機の吹出口と前記換気口及び前記循環吹出口とを連通する二股分岐部を備える送風通路と、
前記循環吹出口内に配置されたヒータと、
前記二股分岐部に配置され、前記換気口に繋がる通路及び前記循環吹出口に繋がる通路を開閉自在に覆うように回転軸周りに円弧形状を成す外周面と、該外周面よりも回転軸側に位置する内周面とを有する回転式のダンパと、を備え、
前記ダンパは、前記内周面の少なくとも一部における湾曲度が、前記外周面の湾曲度よりも緩やかになるように形成され、
前記外周面の回転方向における両側端部に対応してラビリンス構造を形成するように、前記本体の内側に対面壁部が形成されていることを特徴とする浴室乾燥機。
【請求項２】
浴室の空気を吸引し、その一部の空気はヒータを経由させて浴室方向に噴出し、残部の空気は浴室外に排出する衣類乾燥モードを備え、
前記換気モードの実行時においては、前記ダンパは前記循環吹出口を塞ぐ第一位置に位置するように回転し、前記循環モードの実行時においては、前記ダンパは前記換気口を塞ぐ第二位置に位置するように回転し、
前記衣類乾燥モードの実行時においては、
前記ダンパは、前記換気口に繋がる通路の非浴室側となる上部を閉じ、且つ前記内周面の前記換気口側に位置する端部が前記送風機側に位置する端部よりも浴室側となる下方に位置するように、前記第一位置から前記第二位置を通り過ぎた第三位置まで回転することを特徴とする請求項１に記載の浴室乾燥機。
【請求項３】
前記ダンパは、前記衣類乾燥モードの実行時においては、前記第三位置に固定されることを特徴とする請求項２に記載の浴室乾燥機。
【請求項４】
前記ダンパの内周面の少なくとも一部は湾曲のない平坦面として形成されていることを特徴とする請求項２又は３に記載の浴室乾燥機。
【請求項５】
前記衣類乾燥モードの実行時において、前記ダンパは、前記送風機側に位置する端部が前記送風機の吹出口よりも外側に位置するように回転し、
前記換気モードの実行時においても、前記ダンパは、前記送風機側に位置する端部が前記送風機の吹出口よりも外側に位置するように回転し、
前記換気モードの実行時において前記送風機側に位置する前記ダンパの端部であって、前記衣類乾燥モードの実行時において前記換気口に位置する端部に、前記循環吹出口側へと空気を指向させる空気指向部を形成することを特徴とする請求項４に記載の浴室乾燥機。
【請求項６】
前記ダンパの回転中心よりも前記ヒータの中心を外側に位置させ、
前記循環吹出口の外側端に向かう傾斜ガイド面を形成することを特徴とする請求項２に記載の浴室乾燥機。
【請求項７】
前記対面壁部は、第一対面壁部と第二対面壁部とに分割構成されており、
前記換気口側に位置する前記第一対面壁部は、前記本体で構成し、
前記循環吹出口側に位置する前記第二対面壁部は、前記ヒータを収納し前記本体に固定されてなるヒータケースと一体的に形成することを特徴とする請求項１に記載の浴室乾燥機。
【発明の詳細な説明】
【技術分野】
【０００１】
本発明は、浴室乾燥機に関する。
【背景技術】
【０００２】
このような浴室乾燥機として、浴室の空気を吸引してヒータを経由させて浴室方向に空気を噴出する循環モードと、浴室の空気を吸引して浴室外へと排出する換気モードとを実行可能なように、換気口と循環吹出口とを回転式のダンパで切り替えるものが知られている。
【０００３】
回転式のダンパとしては、下記特許文献１に記載されているような曲面状の壁面を回転軸を中心に回転させ、その回転に応じて換気口に向う通路や循環吹出口に向かう通路を塞いで、それぞれの通路に送り込まれる風量を調整するものである。回転式のダンパの別形態としては、下記特許文献２に記載されているような平板状の壁面を回転軸を中心に回転させ、換気口に向かう通路と循環吹出口に向かう通路とを切り替えるものがある。
【特許文献１】特開２００４−３７２２号公報
【特許文献２】特開２００２−１３０１８７号公報
【発明の開示】
【発明が解決しようとする課題】
【０００４】
上記特許文献１に記載の従来技術では、曲面状の壁面を回転させて各通路を開閉するため、ダンパの移動時における空気抵抗が他の形態に比べて小さくできるため各通路を開閉するためのアクチュエータ負担を小さくできるというメリットがある。また、ダンパの背面と換気口などの通路との間隔が常に一定に保たれる構造であるためラビリンス形状による風漏れ対策を施しやすく、他の形態のものに比べて風漏れやそれに伴う騒音などを軽減しやすいという効果を奏することができる。
【０００５】
しかしながら、回転式のダンパにあっては、送風機から吹き出した風をダンパの曲面状壁面の内周面に当てて方向を転換する構造であるために、曲面状のダンパの内周面内に空気の澱みが発生し、これによって気流の乱れが生じて循環や換気の通気性能が低下するという解決すべき課題があった。
【０００６】
そこで本発明では、曲面状の壁面を回転させるダンパによって換気モードと循環モードとの切り替えを行うことができる浴室乾燥機であって、堅牢な風漏れ性能や騒音性能はそのままに、空気流の澱み発生を低減して良好な通気性能を発揮することができる浴室乾燥機を提供することを目的とする。
【課題を解決するための手段】
【０００７】
上記課題を解決するために本願請求項１に係る発明である浴室乾燥機は、浴室の空気を吸引しヒータを経由させて浴室方向に空気を噴出する循環モードと、浴室の空気を吸引し浴室外に排出する換気モードと、を備える浴室乾燥機であって、浴室の天井に固定される本体と、前記本体内の一側に格納される送風機と、前記送風機の吹出口と対面するように前記本体内の他側に設けられた換気口と、前記本体内の他側で前記換気口より浴室側となる下部に設けられた循環吹出口と、前記送風機の吹出口と前記換気口及び前記循環吹出口とを連通する二股分岐部を備える送風通路と、前記循環吹出口内に配置されたヒータと、前記二股分岐部に配置され、前記換気口に繋がる通路及び前記循環吹出口に繋がる通路を開閉自在に覆うように回転軸周りに円弧形状を成す外周面と、該外周面よりも回転軸側に位置する内周面とを有する回転式のダンパと、を備え、前記ダンパは、前記内周面の少なくとも一部における湾曲度が、前記外周面の湾曲度よりも緩やかになるように形成され、前記外周面の回転方向における両側端部に対応してラビリンス構造を形成するように、前記本体の内側に対面壁部が形成されていることを特徴とする。
【０００８】
本発明によれば、回転式のダンパを、換気口に繋がる通路及び前記循環吹出口に繋がる通路を開閉自在に覆うように形成した外周面と、その外周面よりも回転軸側に位置する内周面との二重構造にしたことで、外周面及び内周面それぞれの役割に応じた適切な形態とすることができる。すなわち、外周面は、換気口に繋がる通路及び循環吹出口に繋がる通路を開閉自在に覆うように回転軸周りに円弧形状を成すことで、簡便且つ確実にそれぞれの通路を塞ぐことができる。また、円弧状を成す外周面の両側端部に対応して、本体の内側に対面壁部を設けているので、ラビリンス構造によって確実に風漏れを防止し、暖房、換気性能の向上を図ることができる。更に、内周面は、外周面の湾曲度よりも緩やかな湾曲度となるように構成されているので、内周面に当たる空気流の乱れや澱みを低減し、良好な通気性能を確保し、高い循環性能、換気性能とすることができる。
【０００９】
また、本願請求項２に係る浴室乾燥機では、浴室の空気を吸引し、その一部の空気はヒータを経由させて浴室方向に噴出し、残部の空気は浴室外に排出する衣類乾燥モードを備え、前記換気モードの実行時においては、前記ダンパは前記循環吹出口を塞ぐ第一位置に位置するように回転し、前記循環モードの実行時においては、前記ダンパは前記換気口を塞ぐ第二位置に位置するように回転し、前記衣類乾燥モードの実行時においては、前記ダンパは、前記換気口に繋がる通路の非浴室側となる上部を閉じ、且つ前記内周面の前記換気口側に位置する端部が前記送風機側に位置する端部よりも浴室側となる下方に位置するように、前記第一位置から前記第二位置を通り過ぎた第三位置まで回転することを特徴とする。
【００１０】
この態様では、ダンパは、換気口に繋がる通路の非浴室側となる上部を閉じ、且つ内周面の換気口側に位置する端部が送風機側に位置する端部よりも浴室側となる下方に位置するように、換気口の全閉位置を通り過ぎた第三位置まで回転するので、循環吹出口に繋がる通路は換気口の下方位置で全開され、換気口に繋がる通路は浴室側の一部が開いた状態となるように、ダンパの内周面が送風機側から換気口側に向って浴室側に下がるような位置に配置される。このような第三位置にダンパを配置させるという簡単な構成で、衣類乾燥モードにおいて理想的な気流分配制御が行えるようになったことを見出したものである。具体的には、水分を含まない高温空気を排気口から多量に排気することはエネルギの無駄であり、浴室や衣類の乾燥に際して大きな無駄が生じる。一方で衣類の乾燥によって発生した水分を多く含む多湿空気を浴室に多く戻すことは、やはり浴室や衣類の乾燥に対しては無駄が多く好ましいものではない。本願請求項２に係る発明では、上記のようなダンパの配置とすることで、高温多湿の空気を排気口から排気し、水分の少ない高温の空気は効率よく浴室に帰還させるという理想的な気流分配が行えるようになっているものである。詳細には、衣類乾燥モード実行初期の段階では、衣類の水分が多いため送風機から吹き出される空気は高温多湿となるためこの時期の空気は多くを排気口から排気することが望ましい。この高温多湿の空気は、吸引されて送風機から吹き出される過程において温度が低下するため、空気中の水分が多量の水滴となる。本願請求項２に係る発明は、このことに着目して、多量の水滴を含んだ空気は遠心力の作用を受けて上方に位置する換気口から効率よく排気されるように工夫したものである。一方で、水滴を含まない乾燥した高温の空気は遠心力の影響をさほど受けない為、大きく開口した下方の循環吹出口を通過して浴室に大きく帰還するように工夫されているものである。このようにダンパの停止位置の形態を工夫するという簡単な構成で衣類乾燥モードにおける理想的な気流分配が可能となり、衣類乾燥の性能を低下させることなく、反対にその性能を引き上げることができたものである。
【００１１】
また、本願請求項３に係る浴室乾燥機では、前記ダンパは、前記衣類乾燥モードの実行時においては、前記第三位置に固定されることを特徴とする。
【００１２】
この態様では、ダンパの停止位置を可変とすることなく、第三位置に固定しても、上述したように送風機から吹き出される空気が含む水滴の量に応じて遠心力の作用で水滴の多い高温多湿の空気は換気口側に送り出され、水滴量の少ない乾燥した高温空気は循環吹出口側に送り出されるので、理想的な気流分配を行うために複雑なダンパの可変制御を行う必要がないという極めて実用的な効果を奏することができるものである。
【００１３】
また、本願請求項４に係る浴室乾燥機では、前記ダンパの内周面の少なくとも一部は湾曲のない平坦面として形成されていることを特徴とする。
【００１４】
この態様では、ダンパの内周面の少なくとも一部を平坦面とすることで、内周面に当たる空気の流れを乱さず、換気口へと繋がる通路へ送り出すことができるので、換気性能をより向上させることができる。
【００１５】
また、本願請求項５に係る浴室乾燥機では、前記衣類乾燥モードの実行時において、前記ダンパは、前記送風機側に位置する端部が前記送風機の吹出口よりも外側に位置するように回転し、前記換気モードの実行時においても、前記ダンパは、前記送風機側に位置する端部が前記送風機の吹出口よりも外側に位置するように回転し、前記換気モードの実行時において前記送風機側に位置する前記ダンパの端部であって、前記衣類乾燥モードの実行時において前記換気口に位置する端部に、前記循環吹出口側へと空気を指向させる空気指向部を形成することを特徴とする。
【００１６】
この態様では、衣類乾燥モードの実行時にも換気モードの実行時にも、ダンパの送風機側に位置する端部が吹出口よりも外側に位置するように構成されているので、送風機から吹き出された空気はこの端部の影響を受け難いように工夫されている。また、換気モードの実行時において送風機側に位置するダンパの端部は、衣類乾燥モードの実行時においては、換気口に位置する端部となることに着目し、この端部に循環口側へと空気を指向させる空気指向部を形成した。これによって、換気モードの実行時においては空気指向部が吹出口よりも外側に位置するため通気性能を低下させず換気性能を低下させることがない一方で、衣類乾燥モードの実行時においては空気指向部が換気口側に位置するため、循環吹出口への空気の指向を強めるように機能する。これにより、高温の空気を無駄に排出してエネルギを無駄にすることを一層抑制できるものである。
【００１７】
また、本願請求項６に係る浴室乾燥機では、前記ダンパの回転中心よりも前記ヒータの中心を外側に位置させ、前記循環吹出口の外側端に向かう傾斜ガイド面を形成することを特徴とする。
【００１８】
この態様によれば、ダンパの内周面の湾曲が小さくなっていることから循環吹出口側に気流を指向させる力が低下させられるが、本願発明の態様によれば、ダンパの回転中心よりもヒータの中心が外側に偏倚するように配置され、更に循環吹出口の外側端に向う傾斜ガイド面を形成しているので、本発明のダンパを用いた衣類乾燥モードにおいてもスムーズに気流を循環吹出口から噴出させることができる。言い換えれば、循環吹出口側の圧力損失を低下させることができているため、換気口側への不必要な高温空気の排出を抑制することができるため、衣類乾燥性能を向上させることができたものである。
【００１９】
また、本願請求項７に係る浴室乾燥機では、前記対面壁部は、第一対面壁部と第二対面壁部とに分割構成されており、前記換気口側に位置する前記第一対面壁部は、前記本体で構成し、前記循環吹出口側に位置する前記第二対面壁部は、前記ヒータを収納し前記本体に固定されてなるヒータケースと一体的に形成することを特徴とする。
【００２０】
循環吹出口側に位置する第二対面壁部は、ヒータを収納し本体に固定されてなるヒータケースと一体的に形成するので、第二対面壁部を形成したヒータケースを本体に固定することで容易に循環側の対面壁部を構成することができる。従って、換気モードにおいて循環口側への空気の漏れを抑制することができ、換気性能の向上に加えて、換気時において浴室側に空気が漏れることによる肌寒さを簡単な構成で解消することができたものである。
【発明の効果】
【００２１】
本発明によれば、簡便な構成で風漏れを防止して通気性能を向上させるとともに、空気流の澱み発生をも低減することができる浴室乾燥機を提供するものである。
【発明を実施するための最良の形態】
【００２２】
以下、添付図面を参照しながら本発明の好適な実施の形態について説明する。説明の理解を容易にするため、各図面において同一の構成要素に対しては可能な限り同一の符号を付して、重複する説明は省略する。
【００２３】
本発明の実施形態に係る浴室乾燥機は、浴室の空気を吸引しヒータを経由させて浴室方向に空気を噴出する循環モードと、浴室の空気を吸引し浴室外に排出する換気モードと、を備えると共に、浴室以外の第二室である洗面所等の換気も行うことができるものである。この浴室乾燥機の配置態様について図１を参照しながら説明する。図１に示すように、浴室乾燥機ＤＭは、浴室ＢＲの天井に取り付けられるものである。浴室乾燥機ＤＭは、浴室ＢＲの空気を吸引しヒータ（図１においては明示しない）を経由させて浴室ＢＲ方向に空気を噴出することができる。また、浴室乾燥機ＤＭは、浴室ＢＲ内の空気を吸引し、ダクトＤ１を通して浴室外に排出することもできる。また、浴室乾燥機ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００２４】
続いて、浴室乾燥機ＤＭの外観について、図２を参照しながら説明する。図２（ａ）は浴室乾燥機ＤＭの背面側斜視図であり、図２（ｂ）は浴室乾燥機ＤＭの正面側斜視図である。浴室乾燥機ＤＭは、正面側のカバー３０と、背面及び側面を覆う本体ケース１０とを備えている。
【００２５】
図２（ａ）に示すように、本体ケース１０の側面には、換気時に空気を排出するための換気口１２が設けられており、その反対側には第二室としての洗面所から空気を吸い込む浴室外吸引口１１が設けられている。さらに、本体ケース１０の背面の開口部には、本体ケース１０内部に収容されている送風機を回転させるための送風機モータＦＭが露出している。さらに、図２（ｂ）に示すように、カバー３０には、浴室内の空気を吸い込む浴室吸引口１３と、加熱した空気を吹き出す循環吹出口１４とが設けられている。
【００２６】
ここで、浴室乾燥機ＤＭの内部を説明するため、浴室外吸引口１１から換気口１２に沿った方向の断面図を図３に示す。図３に示すように、本体ケース１０内には、浴室吸引口１３から順に、隔壁部材２０と、送風機１５と、ダンパ１６（第１ダンパ）と、が配置されている。隔壁部材２０については、その構成を後に詳述する。送風機１５は、送風機モータＦＭの回転に応じて回転し、吸引口１５１から空気を吸い込んで、吹出口１５２から空気を噴出するように構成されている。送風機１５は送風機モータＦＭと共に送風機を構成している。
【００２７】
送風機１５の吹出口の先には、ダンパ１６が配置されている。ダンパ１６は、回転式のロータリーダンパであって、送風機１５の吹出口１５２から噴出された空気を、換気風路１０１及び循環風路１０２のいずれか若しくは双方に方向付けて送り出す役割を果たしている。
【００２８】
図３に示すように、換気風路１０１は、送風機１５の吹出口１５２と換気口１２とを連通し、循環風路１０２は、送風機１５の吹出口１５２と循環吹出口１４とを連通している。従って、換気風路１０１及び循環風路１０２からなる送風通路は、それぞれに空気を分岐する二股分岐部を形成しており、その二股分岐部に相当する位置にダンパ１６が配置されている。
【００２９】
循環風路１０２の先に繋がる循環吹出口１４には、ヒータケース１７に収容されたヒータ１８が配置されている。ヒータ１８よりも下流側にはルーバー１９が配置されている。
【００３０】
上述したように、ダンパ１６によって、送風機１５の吹出口１５２から噴出された空気は、各風路に振り分けられている。図４には、換気モードにおけるダンパ１６の位置を示し、図５には、循環モードにおけるダンパ１６の位置を示す。
【００３１】
図４に示すように、換気モードの実行時においては、ダンパ１６は循環風路１０２及び循環吹出口１４を塞ぐような第一位置に位置するように制御されている。また、図５に示すように、循環モードの実行時においては、ダンパ１６は換気風路１０１及び換気口１２を塞ぐような第二位置に位置するように制御されている。これにより、換気モードの実行時においては、吹出口１５２から噴出された空気は全て換気風路１０１から換気口１２へと向かう。また、循環モードの実行時においては、吹出口１５２から噴出された空気は全て循環風路１０２から循環吹出口１４へと向かう。
【００３２】
このように、各風路を選択的に塞ぐ場合には、ダンパ１６と本体ケース１０及びヒータケース１７との隙間から空気が漏れないようにラビリンス構造を形成することが好ましい。この好ましい態様の例を図６に示す。図６は、本体ケース１０に対面壁部１０１ａを設けた例を示している。図６に示すように、ダンパ１６の外周面１６１の端部に対向する位置に対面壁部１０１ａを設けることで、ダンパ１６の外周面１６１が対面壁部１０１ａと向き合う位置に配置されている場合には、その部分においてラビリンス構造が形成され、空気が漏れることがない。このような対面壁部１０１ａと同様の対面壁部は、ヒータケース１７にも形成されている。
【００３３】
ここで、図３に戻って、ダンパ１６の配置位置について説明を続ける。図３に示すダンパ１６の配置位置は、衣類乾燥モードの実行時におけるものである。衣類乾燥モードでは、送風機１５の吹出口１５２から噴出された空気の一部を換気風路１０１へ、残部を循環風路１０２へと振り分けるものである。これについて、図７にダンパ１６周辺の模式図を示す。
【００３４】
図７に示すように、ダンパ１６は、回転軸１６４回りに回転可能なように構成され、回転軸１６４には扇形の支持部１６２が取り付けられている。支持部１６２の先端には円弧状をなす外周面１６１が設けられ、外周面１６１よりも回転軸１６４側には内周面１６３が設けられている。外周面１６１は、換気口１２に繋がる換気風路１０１及び循環吹出口１４に繋がる循環風路１０２を開閉自在に覆うように、回転軸１６４回りに円弧形状を成している。内周面１６３は、外周面１６１よりも回転軸１６４側に位置し、内周面１６３の湾曲度は外周面１６１の湾曲度よりも緩やかになるように形成されている。図７に示す例では、内周面１６３は平坦な面として形成されている。
【００３５】
衣類乾燥モードは、浴室の空気を吸引し、その一部の空気はヒータ１８を経由させて浴室方向に噴出し、残部の空気は浴室外に排出するモードである。換気モードの実行時においては、ダンパ１６は循環吹出口１４（循環風路１０２）を塞ぐ第一位置に位置するように回転し（図４参照、図７においては二点鎖線で示す位置）、循環モードの実行時においては、ダンパ１６は換気口１２（換気風路１０１）を塞ぐ第二位置に位置するように回転している（図５参照）。一方、図７に示すように、衣類乾燥モードの実行時においては、ダンパ１６は、換気口１２に繋がる換気風路１０１の浴室側の下部が換気口に連通するように開口し、非浴室側となる上部を閉じ、且つ内周面１６３の換気口１２側に位置する端部が送風機１５側に位置する端部よりも浴室側となる下方に位置し、傾斜された状態で停止するように、第一位置から第二位置を通り過ぎた第三位置まで回転している。ダンパ１６は、衣類乾燥モードの実行時においては、この第三位置に固定される。
【００３６】
衣類乾燥モードにおいて、ダンパ１６を図７に示すような配置とすることで、送風機１５から噴出される空気に含まれる水分は、その過程で冷やされて水滴となり、遠心力の作用によって重い水滴は外方側まで飛ばされるため換気口１２側へと積極的に排出される。よって、高温多湿の空気は効率よく外部に排出されるため、衣類を再度湿気させてしまうということがない。そして、衣類の乾燥が進み、空気中の水分が減少して乾燥した空気となった場合は、水分が少ないため遠心力の作用をさほど受けず、水滴は遠くまで飛ばされないため換気口１２から排出されることが抑制されて、浴室内に多くが循環風となって戻される。よって、特別な制御等を行うことなく高温の空気を捨てることが抑制できるためエネルギの無駄をなくすることができる。なお、ダンパ１６の内周面１６３は平坦な面として構成されているため内周面１６３内で空気が澱むことがなく、換気口１２や循環吹出口１４へと効率よく空気を方向付けることができる。
【００３７】
尚、ダンパ１６の形態は、図７等に示されるものに限らない。ダンパ１６の変形例を、図８〜図１０に示す。図８に示すダンパ１６ａは、衣類乾燥モードの実行時における第三位置（図中実線で示す位置）に位置する場合に吹出口１５２側となる半分の内周面１６３ｂが平坦であり、換気口１２側となる残り半分の内周面１６３ａが湾曲度の大きな曲面をなしている。この場合、吹出口１５２から噴出された空気は、内周面１６３ａによって積極的に循環吹出口１４方面に方向付けられることから、無駄に換気口１２から乾いた高温の空気が積極的に排出されることがなく、エネルギの無駄を一層抑えることができる。一方でダンパ１６ａが第一位置（図中二点鎖線で示す位置）の位置にある換気モードにおいては、第一位置では、第三位置とは反転する関係になることから湾曲面が形成された内周面１６３ａは吹出口１５２側に位置する。よって、空気の方向付けに対して内周面１６３ａは寄与度が低い位置となり澱みが発生するようなことがない。第一位置においては、平坦な内周面１６３ｂが寄与度の高くなる換気口１２側に位置するため換気性能を一切損なうことなく、衣類乾燥モードでの性能を更に向上させることができたものである。
【００３８】
続いて、図９に示すダンパ１６ｂは、衣類乾燥モードの実行時における第三位置（図中実線で示す位置）に位置する場合に換気口１２側となる端部に、空気指向部１６３ｃを形成している。この場合、吹出口１５２から噴出された空気は、空気指向部１６３ｃによって積極的に循環吹出口１４方面に方向付けられることから、無駄に換気口１２から乾いた高温の空気が積極的に排出されることがなく、エネルギの無駄を一層抑えることができる。一方でダンパ１６ａが第一位置（図中二点鎖線で示す位置）の位置にある換気モードにおいては、第一位置では、第三位置とは反転する関係になることから空気指向部１６３ｃは、吹出口１５２側に位置し、その位置においては吹出口１５２から吹き出される空気への影響がないような位置に収まっている。よって、空気の方向付けに対して空気指向部１６３ｃは寄与度が低い位置となり澱みが発生するようなことがない。
【００３９】
続いて、図１０に示すダンパ１６ｃは、内周面１６３ｄが平坦面ではなく曲率が非常に大きな円弧状を成しており、当然その曲率半径は外周面１６１の曲率半径よりも大きくなるように形成されている。この場合、吹出口１５２から噴出された空気は、より緩やかな湾曲度を形成している内周面１６３ｄによって方向付けられることから、換気モードでの澱みの発生が殆どない状態に抑えることができる一方で、衣類乾燥モードでの循環吹出口１４への方向付けが強まることから、やはり換気性能を高めつつ、衣類乾燥モードの性能も高めることができたものである。
【００４０】
また、図３等に示すように、ダンパ１６の回転中心よりもヒータ１８の中心を外側に位置させ、循環吹出口１４の外側端に向かう傾斜ガイド面１０２ａを形成している。ダンパ１６の内周面１６３の湾曲が小さくなっていることから循環吹出口１４側に気流を指向させる力が低下させられているものの、ダンパ１６の回転中心よりもヒータ１８の中心が外側に偏倚するように配置され、更に循環吹出口１４の外側端に向う傾斜ガイド面１０２ａを形成することで、ダンパ１６を用いた衣類乾燥モードにおいてもスムーズに気流を循環吹出口１４から噴出させることができる。言い換えれば、循環吹出口１４側の圧力損失を低下させることができているため、換気口１２側への不必要な高温空気の排出を抑制することができるため、衣類乾燥性能を向上させることができている。
【００４１】
続いて、隔壁部材２０について図１１及び図１２を参照しながら説明する。図１１は、浴室側となる下方から隔壁部材２０を見た斜視図を示し、図１２は、送風機１５側となる上方から隔壁部材２０を見た斜視図を示す。図１１及び図１２に示すように、隔壁部材２０は、送風機１５の吸引口１５１に対応した開口部２０２ａ及び浴室外吸引口１１に繋がるように形成された開口部２０２ｂを有するベース板２０２と、ベース板２０２の周囲を囲むように環状に立設された環状壁２０１と、隔壁部材２０の浴室外吸引口１１側の一側部を覆うカバー板２０３と、を備えている。また、カバー板２０３によって隔離される空間（カバー板２０３と開口部２０２ｂとの間の空間）の送風機１５側には、カバー板２０３とベース板２０１との間に形成される開口部があり、その開口部を開閉自在に覆うようにダンパ２０４（第二ダンパ）が設けられている。このダンパ２０４が設けられている開口部は、浴室外吸引口１１に繋がる開口部２０２ｂよりも広い開口幅を有しており、送風機１５の吸引口１５１よりも広い開口幅を有している。ダンパ２０４は、ダンパモータ２０５によって揺動自在に構成されている。
【００４２】
ダンパ２０４は単一のダンパとして形成され、浴室外吸引口１１から送風機１５の吸引口１５１に繋がる流路を開閉自在に覆うように構成されている。ダンパ２０４は、隔壁部材２０の他端側（フィルター側、カバー３０側）で揺動自在に支持固定され、換気モードにおいてフィルターと対面するように揺動させることで浴室吸引口１３の開口面積を狭めて浴室外吸引口１１から送風機１５の吸引口１５１に至るまでの流路を開放するように構成されている。
【００４３】
また、隔壁部材２０は、送風機１５の吸引口１５１を囲むように環状壁２０１が環状形状として構成され、環状壁２０１の一端がベース板２０２を介して本体ケース１０に固定され、他端は自由端となっており、その他端がフィルターに近接若しくは当接するように延設され、送風機１５の吸引口１５１に向う方向に対する側方からの吸気が抑制されるように構成されている。
【００４４】
ここで、隔壁部材２０の変形例である隔壁部材２０ａを図１３に示す。図１３に示す隔壁部材２０ａは、隔壁部材２０に対してダンパ２０６（第三ダンパ）を追加している。ダンパ２０６は、浴室吸引口１３を全開としたり一部閉としたりすることができるように、ダンパモータ２０７によって揺動自在に軸支されている。
【００４５】
更に隔壁部材２０ａに固定カバーであるカバー板２０８を追加した隔壁部材２０ｂを図１４及び図１５に示す。図１５に示すように、隔壁部材２０ｂにおいて、ダンパ２０４が浴室外吸引口１１を全開し、ダンパ２０６が浴室吸引口１３を一部閉じるようにそれぞれ揺動すると、カバー板２０３とカバー板２０８との間の隙間部分が狭められ、浴室側から空気を吸引する圧力損失が増大するので、浴室外から空気を吸引する圧力損失が相対的に減少し、浴室内と浴室外との換気比率を同等とすることも可能となる。
【００４６】
ここで、図１６に、ダンパ２０４及びダンパ２０６の揺動状態を示す。図１６に示すように、実線で示したダンパ２０４及びダンパ２０６の位置は、図１５に示した位置である。ダンパ２０４は、浴室外吸引口１１を閉じる場合には、二点鎖線で示す２０４ａの位置まで揺動する。ダンパ２０６は、浴室吸引口１３を全開する場合には、二点鎖線で示す２０６ａ又は２０６ｂの位置まで揺動する。
【００４７】
また、カバー板２０８には、複数の孔２０９（第二隙間部分）を設けて、カバー板２０３とカバー板２０８との間の隙間部分以外から、フィルターを経由して空気を吸引可能なように構成している。これら複数の孔２０９それぞれに、ダンパ２１０（第四ダンパ）を設けて、実線で示す位置と２１０ａとして二点鎖線で示す位置との間を揺動することが好ましい。
【００４８】
上述した構成とすれば、浴室吸引口１３の一部分を挟んで、その両側部分を覆うように配置される一対の固定カバーとしてのカバー板２０３，２０８を備え、カバー板２０３，２０８の間の隙間部分を挟んでダンパ２０４とダンパ２０６とを配置し、循環モードの実行時においては、ダンパ２０４及びダンパ２０６が隙間部分を開放し（図１５参照）、換気モードの実行時においては、ダンパ２０４及びダンパ２０６が隙間部分を狭めるように、ダンパ２０４及びダンパ２０６を揺動させることができる。
【００４９】
また、カバー板２０３，２０８の間の隙間部分は、送風機１５の吸引口１５１の中心よりも浴室外吸引口１１側に偏倚させて形成されており、ダンパ２０４が浴室外吸引口１１を全閉する際には、送風機１５送風機による隙間部分からの空気の吸引に干渉しないように位置し、ダンパ２０４が浴室外吸引口１１を全開する際には、送風機１５による隙間部分からの空気の吸引に干渉するように位置することもできる。
【００５０】
また、浴室吸引口１３の下部において浴室吸引口１３を全て覆うようにフィルターを備え、ダンパ２０４を全開する位置に揺動させ、ダンパ２０６を一部閉する位置に揺動させた場合に（図１６参照）、ダンパ２０４及びダンパ２０６とフィルターとの間に所定の空間が形成されるように構成することもできる。
【００５１】
また、カバー板２０８に、換気モードの実行時において、隙間部分以外からフィルターを経由して空気を吸引可能なように孔２０９（第二隙間部分）を形成し、孔２０９に対して、ダンパ２０６と同様の機能を発揮するダンパ２１０（第四ダンパ）を配置し、換気モードの実行時において、ダンパ２１０が孔２０９を全閉しないように構成することもできる。
【００５２】
上述したような送風機モータＦＭやダンパモータ２０５，２０７は、制御部ＣＵから出力される制御信号によって駆動される。制御部ＣＵによる制御ブロックを図１７に示す。図１７に示すように、リモコン７１及び第１及び第２温度センサ５１、５３ からの入力を受け付け、送風機モータＦＭ，ダンパ１６を回動させるダンパモータＭ１，ダンパ２０４を回動させるダンパモータ２０５，ダンパ２０７を回動させるダンパモータ２０７や、ヒータ１８に対する指令を行うように構成されている。そして、制御部ＣＵは、例えば、プロセッサ及びメモリにより構成され、所定のプログラムを実行することにより、図１７に示すような制御を行う。
【００５３】
続いて、カバー３０の構成について、図１８及び図１９を参照しながら説明する。図１８は、カバー３０の斜視図である。図１９は、カバー３０のフィルター３３近傍を拡大した斜視図である。
【００５４】
カバー３０は、本体ケース１０の浴室側となる下部を覆うカバーである。カバー３０は、本体ケース１０側に位置する内側カバー３２と、浴室側に位置する外側カバー３１とを備えている。
【００５５】
内側カバー３２は、本体ケース１０に対して四隅のボルト５０によって固定される。内側カバー３２には、フィルター３３が設けられている。内側カバー３２の外周には、本体ケース１０との間でラビリンス構造を形成することができるように、周縁ラビリンス壁３２１が形成されている。また、内側カバー３２には、ルーバー１９との間でラビリンス構造を形成することができるように、第１ルーバーラビリンス壁３２２及び第２ルーバーラビリンス壁３２３が形成されている。
【００５６】
フィルター３３は、内側カバー３２に設けられたレール状のラビリンス溝３２４にスライド挿入されて、内側カバーとの間でラビリンス構造を構成するように形成されている。更に、フィルター３３には、フィルター押え３４が設けられている。
【００５７】
上述したような構成のカバー３０を本体ケース１０に取り付けることで、送風機としての送風機１５とフィルター３３との間の空間を負圧発生部として構成することができる。
【００５８】
本実施形態では、このように構成することで、フィルター３３が過度に目詰まりした場合に、負圧発生部の負圧を上昇させて、ヒータ１８を通過した下流の空気をフィルター３３を通さずに帰還気流として送風機１５へ帰還させる帰還流路を形成することが可能となっている。この帰還流路について、図２０及び図２１を参照しながら説明する。図２０は、カバー３０を取り外して浴室側から見た本体ケース１０の平面図である。図２１は、送風機１５からヒータ１８近傍の断面図である。
【００５９】
本体ケース１０の周縁には、周縁ラビリンス壁１０３が形成されており、カバー３０の周縁ラビリンス壁３２１と組合わさることによって、全周に渡ってラビリンス構造が構成されている。
【００６０】
負圧発生部の中核をなす送風機１５の吸引口１５１を囲むように隔壁部材２０が配置され、集中負圧発生室を構成している。図２０に示すように、隔壁部材２０のヒータ１８側に負圧吸引通路用切り欠き４１が形成されている。また、第１ルーバーラビリンス壁３２２にも、負圧吸引通路用切り欠き４２が形成されている。これによって、隔壁部材２０が囲まれた部分に負圧が発生すると、図２０に示す矢印に沿った帰還気流が発生する。この帰還気流は、負圧吸引通路用切り欠き４２から負圧吸引通路用切り欠き４１に向かって流れ、帰還流路が形成される。この帰還流路に、温度センサ５１が配置されている。
【００６１】
図２０に示すように、送風機１５と循環吹出口１４（ヒータ１８、ルーバー１９）とは本体ケース１０の対角線に沿った対角配置とされている。また、ルーバー１９側の負圧吸引通路用切り欠き４２は、その長さが比較的長めに（略ルーバー１９の一辺と同じ長さ）形成され、送風機１５側の負圧吸引通路用切り欠き４１は、比較的短めに形成されている。フィルターが過度に目詰まりし、集中負圧発生室に大きな負圧が発生すると、送風機１５の中心に向けて収束しながら帰還気流は流れるが、本実施形態では更に負圧吸引通路用切り欠き４１を設けているために帰還気流は更に収束しながら流れるため、送風機１５側に偏倚し、負圧吸引通路用切り欠き４１の近傍に温度センサ５１が配置されている本実施形態では、帰還気流を確実に温度センサ５１上を通過させることができる。
【００６２】
ヒータケース１７に対して、ルーバー１９はボルトによって固定されている。図２０に示すように、ルーバー１９のボルト固定部１８１，１８２は、中心を挟んで等距離離れている。従って、図２０に示す構成の場合、ルーバー１９側の負圧吸引通路用切り欠き４２よりも遠い方のボルト固定部１８１を固定することで、負圧吸引通路用切り欠き４２側の締結力を低減させることができる。より具体的には、ボルト（図に明示しない。以下同じ）の締結力によってヒータケース１７とルーバー１９との気密性を調整することができる。従って、ボルトを締結するのみで意図した気密性を得ることができ、正確に異常温度判断が行え、組み立て作業を容易なものとすることができる。また、送風機１５側の一側面とは反対側をボルトによって締結することで、送風機１５側の締結力を比較的低く抑えることができる。従って、簡単な構造で意図した気密性の差を作り出すことができ、取り付け方向を簡単に変更することもできる。更に、ヒータケース１７に設けられたボルト支持部（図に明示しない）のみを送風機１５とは反対側にのみ偏倚するように設けると、組み立て作業上のミスを低減し、意図した気密性の差を作り出すことができる。
【００６３】
また、本実施形態の場合には、帰還流路への空気の取り込み部となる負圧吸引通路用切り欠き４２よりも上流側であって上方の位置に温度ヒューズ５２を設けている。従って、負圧が発生し、負圧吸引通路用切り欠き４２から空気が吸い込まれると、温度ヒューズ５２を必ず空気が通るように構成することができる。より具体的には、上述したように本実施形態に係る浴室乾燥機ＤＭは、送風機１５とフィルター３３との間に形成した負圧発生部に、フィルター３３の目詰まりが過剰に進行すると大きな負圧が発生するように構成すると同時に、この発生した大きな負圧によってヒータ１８を通過した高温の空気が確実に吸引されて、フィルター３３を通過しない形で構成される帰還流路を確実に通って送風機１５に帰還できるように構成している。一方、温度ヒューズ５２の役割は、ヒータ１８回りの温度上昇が更に進行し、ヒータ１８を流れる空気が全く無くなってしまうような場合には、温度ヒューズ５２によってヒータ１８から伝搬する熱の温度に基づく回路遮断を行うことで、送風機１５の送風機ロックのような危険な状況に基づく温度上昇に対応することができるようにしたものである。上述したように、フィルター３３の目詰まり時には負圧発生部における負圧の発生により帰還気流を発生させているので、その帰還気流が流れる帰還流路の取り込み部の上流側且つ上方に温度ヒューズ５２を配置していることで、負圧による吸引がある場合は積極的に温度ヒューズ５２近傍を空気が流れるように構成し、送風機１５が駆動している場合に温度ヒューズ５２が遮断されてしまうことを防止できるように構成しているものである。また、傾斜ガイド面１０２ａの近傍には、温度センサ５３が配置されている。
【図面の簡単な説明】
【００６４】
【図１】本実施形態の浴室乾燥機の配置態様を説明するための図である。
【図２】本実施形態の浴室乾燥機の外観を説明するための図である。
【図３】浴室乾燥機の内部を説明するための図である。
【図４】浴室乾燥機の内部を説明するための図である。
【図５】浴室乾燥機の内部を説明するための図である。
【図６】浴室乾燥機の内部を説明するための図である。
【図７】浴室乾燥機に用いられるダンパを説明するための図である。
【図８】浴室乾燥機に用いられるダンパを説明するための図である。
【図９】浴室乾燥機に用いられるダンパを説明するための図である。
【図１０】浴室乾燥機に用いられるダンパを説明するための図である。
【図１１】浴室乾燥機に用いられる隔壁部材を説明するための図である。
【図１２】浴室乾燥機に用いられる隔壁部材を説明するための図である。
【図１３】浴室乾燥機に用いられる隔壁部材を説明するための図である。
【図１４】浴室乾燥機に用いられる隔壁部材を説明するための図である。
【図１５】浴室乾燥機に用いられる隔壁部材を説明するための図である。
【図１６】浴室乾燥機に用いられる隔壁部材を説明するための図である。
【図１７】浴室乾燥機に用いられる制御部を説明するための図である。
【図１８】浴室乾燥機に用いられるカバーを説明するための図である。
【図１９】浴室乾燥機に用いられるカバーを説明するための図である。
【図２０】負圧発生時の空気の流れを示す図である。
【図２１】負圧発生時の空気の流れを示す図である。
【符号の説明】
【００６５】
１０：本体ケース
１１：浴室外吸引口
１２：換気口
１３：浴室吸引口
１４：循環吹出口
１５：送風機
１６：ダンパ
１６ａ：ダンパ
１６ｂ：ダンパ
１６ｃ：ダンパ
１７：ヒータケース
１８：ヒータ
１９：ルーバー
２０：隔壁部材
２０ａ：隔壁部材
２０ｂ：隔壁部材
３０：カバー
３１：外側カバー
３２：内側カバー
３３：フィルター
５０：ボルト
５１：温度センサ
５２：温度ヒューズ
５３：温度センサ
７１：リモコン
１０１：換気風路
１０１ａ：対面壁部
１０２：循環風路
１０２ａ：傾斜ガイド面
１０３：周縁ラビリンス壁
１５１：吸引口
１５２：吹出口
１６１：外周面
１６２：支持部
１６３：内周面
１６３ａ：内周面
１６３ｂ：内周面
１６３ｃ：空気指向部
１６３ｄ：内周面
１６４：回転軸
１８１，１８２：ボルト固定部
２０１：環状壁
２０１：ベース板
２０１：環状壁
２０２：ベース板
２０２ａ：開口部
２０２ｂ：開口部
２０３，２０８：カバー板
２０４：ダンパ
２０５，２０７：ダンパモータ
２０６：ダンパ
２０８：カバー板
２０９：孔
２１０：ダンパ
３２１：周縁ラビリンス壁
３２２：ルーバーラビリンス壁
３２３：ルーバーラビリンス壁
３２４：ラビリンス溝
ＣＵ：制御部
Ｄ１：ダクト
ＤＭ：浴室乾燥機
ＦＭ：送風機モータ
ＳＲ：洗面所
ＳＲ１：吸引口
ＳＲ２：ダクト
【図１】
2010054077.tif 000003
【図２】
2010054077.tif 000004
【図３】
2010054077.tif 000005
【図４】
2010054077.tif 000006
【図５】
2010054077.tif 000007
【図６】
2010054077.tif 000008
【図７】
2010054077.tif 000009
【図８】
2010054077.tif 000010
【図９】
2010054077.tif 000011
【図１０】
2010054077.tif 000012
【図１１】
2010054077.tif 000013
【図１２】
2010054077.tif 000014
【図１３】
2010054077.tif 000015
【図１４】
2010054077.tif 000016
【図１５】
2010054077.tif 000017
【図１６】
2010054077.tif 000018
【図１７】
2010054077.tif 000019
【図１８】
2010054077.tif 000020
【図１９】
2010054077.tif 000021
【図２０】
2010054077.tif 000022
【図２１】
2010054077.tif 000023